【事件の表示】
　特願２０１６−１４０７６２「タグ読取装置」拒絶査定不服審判事件〔平成３０年　１月１８日出願公開，特開２０１８−　１０５９５，請求項の数（６）〕について，次のとおり審決する。
【結　論】
　原査定を取り消す。
　本願の発明は，特許すべきものとする。
【理　由】
第１　手続の経緯
　本願は，平成２８年７月１５の出願であって，令和１年７月５日付けで拒絶理由通知がされ，令和１年８月３０日に意見書と補正書が提出され，令和１年１１月２０日付けで拒絶査定（原査定）がされ，これに対し，令和２年２月１９日に拒絶査定不服審判の請求がされると同時に手続補正がされたものである。
第２　原査定の概要
　原査定（令和１年１１月２０日付け拒絶査定）の概要は次のとおりである。
　
　本願の請求項１−６に係る発明は，以下の引用文献１−３に基づいて，その発明の属する技術の分野における通常の知識を有する者（以下，「当業者」という。）が容易に発明できたものであるから，特許法第２９条第２項の規定により特許を受けることができない。
　　　　　　　　　　　　　引用文献等一覧
１.特開２００８−１２９６５２号公報
２.特開２００９−１２９０７２号公報
３.特開２０１６−６２１６０号公報
第３　本願発明
　本願請求項１ないし６に係る発明（以下，それぞれ「本願発明１」ないし「本願発明６」という。）は，令和２年２月１９日付けの手続補正で補正された特許請求の範囲の請求項１ないし６に記載された事項により特定される発明であり，以下のとおりのものである。
「　　【請求項１】
　パッシブ型のＲＦＩＤ（Radio Frequency Identifierの略）タグに記憶されているデータを読み取るタグ読取装置であって、
　電波を送信する送信部と、
　前記送信部から送信された前記電波に応じて前記ＲＦＩＤタグから送信される応答信号を受信する受信部と、
　前記受信部によって受信される前記応答信号に基づいて、前記ＲＦＩＤタグに記憶されている前記データを読み取る制御部と、
　読み取られた前記データを記憶するためのメモリと、
　を備えており、
　前記制御部は、
　　単位時間当たりに特定のＲＦＩＤタグに記憶されている特定のデータが読み取られた回数が読取対象のＲＦＩＤタグが存在する読取対象範囲の広さに対応付けて設定される回数閾値以上である特定の場合には、前記タグ読取装置との距離が比較的小さく、前記特定のＲＦＩＤタグが前記読取対象範囲内に存在しているとして前記特定のデータを前記メモリに記憶させ、
　　単位時間当たりに前記特定のデータが読み取られた回数が前記回数閾値より少ない場合には、前記タグ読取装置との距離が比較的大きく、前記特定のＲＦＩＤタグが前記読取対象範囲外に存在しているとして前記特定のデータを前記メモリに記憶させないことにより、ユーザの意図する前記読取対象範囲外に存在するＲＦＩＤタグに記憶されているデータが読み取られてしまうことを抑制する、
　タグ読取装置。
　　【請求項２】
　前記制御部は、
　　前記特定の場合であり、かつ、前記特定のＲＦＩＤタグから特定の応答信号が受信される際の受信信号強度が強度閾値以上である場合には、前記特定のデータを前記メモリに記憶させ、
　　前記受信信号強度が前記強度閾値よりも小さい場合には、前記特定のデータを前記メモリに記憶させない、
　請求項１に記載のタグ読取装置。
　　【請求項３】
　前記特定のＲＦＩＤタグから受信される特定の応答信号は、前記特定のＲＦＩＤタグの種類を示す種類情報を含み、
　前記制御部は、
　　前記種類情報が第１の種類を示す場合には、第１の回数閾値を用い、
　　前記種類情報が前記第１の種類と異なる第２の種類を示す場合には、第２の回数閾値を用いる、
　請求項１又は２に記載のタグ読取装置。
　　【請求項４】
　前記制御部は、第１の読取レベルと、前記第１の読取レベルとは異なる第２の読取レベルと、を含む複数の読取レベルのうちのいずれか一つの読取レベルに従って動作可能であり、
　　前記第１の読取レベルに従って動作している場合には、第３の回数閾値を用い、
　　前記第２の読取レベルに従って動作している場合には、第４の回数閾値を用いる、
　請求項１から３のいずれか一項に記載のタグ読取装置。
　　【請求項５】
　前記特定の応答信号は、前記特定のＲＦＩＤタグの種類を示す種類情報を含み、
　前記制御部は、
　　前記種類情報が第１の種類を示す場合には、第１の回数閾値及び第１の強度閾値を用い、
　　前記種類情報が前記第１の種類と異なる第２の種類を示す場合には、第２の回数閾値及び第２の強度閾値を用いる、
　請求項２に記載のタグ読取装置。
　　【請求項６】
　前記制御部は、第１の読取レベルと、前記第１の読取レベルとは異なる第２の読取レベルと、を含む複数の読取レベルのうちのいずれか一つの読取レベルに従って動作可能であり、
　　前記第１の読取レベルに従って動作している場合には、第３の回数閾値及び第３の強度閾値を用い、
　　前記第２の読取レベルに従って動作している場合には、第４の回数閾値及び第４の強度閾値を用いる、
　請求項２又は５に記載のタグ読取装置。」
第４　引用文献，引用発明等
１　引用文献１について
ア　本願の出願日前に頒布され，原査定の拒絶の理由に引用された，特開２００８−１２９６５２号公報（以下，これを「引用文献１」という。）には，図面とともに次の事項が記載されている。（下線は当審により付与。以下同じ。）
ａ　「【発明を実施するための最良の形態】
【００１３】
　以下、本発明を実施とするための最良の形態について、図面を用いて説明する。
　なお、この実施の形態は、
各物品にそれぞれ付与された無線通信媒体の識別情報（ＩＤ）を無線通信装置によって非接触で読取る
各物品にそれぞれ付される無線通信媒体をＲＦＩＤタグと称し、無線通信装置をタグリーダ・ライタと称する
【００１４】
　図１は本実施の形態におけるタグリーダ・ライタの要部構成を示すブロック図である。
タグリーダ・ライタは、リーダ・ライタ本体１０と、該リーダ・ライタ本体１０に取り付けられたアンテナ２０とから構成されている
【００１５】
　
各ＲＦＩＤタグ３０は、それぞれ固有のＩＤを識別情報として記憶している
【００１６】
　
リーダ・ライタ本体１０は、タイムスロット方式のアンチコリジョン機能を実装したもので、インターフェイス部１１、変調部１２，送信アンプ１３，サーキュレータ１４，受信アンプ１５，復調部１６,メモリ部１７及び各部を制御する制御部１８等で構成されている
【００１７】
　インターフェイス部１１は、外部接続されるホスト機器と制御部１８との間で行われるデータ通信を中継する。
変調部１２は、制御部１８から与えられる送信データを高周波信号に変調して送信アンプ１３に出力する。送信アンプ１３は、変調部１２にて変調された高周波信号を増幅してサーキュレータ１４に出力する。サーキュレータ１４は、送信アンプ１３にて増幅された変調波信号をアンテナ２０側に出力する
また、アンテナ２０で受信した高周波信号を受信アンプ１５側に出力する。受信アンプ１５は、サーキュレータ１４側から入力された高周波信号を増幅して復調部１６に出力する。復調部１６は、受信アンプ１５にて増幅された高周波信号を復調して受信データに変換し、制御部１８に出力する
制御部１８は、復調部１６にて復調された受信データに基づき、ＲＦＩＤタグ３０のデータを読み込む
【００１８】
　
メモリ部１７は、各種の設定データや可変的なデータを記憶するための領域である
読取サイクル回数Ｘに相当する個数の読取バッファ（ＲＥＡＤＢＵＦ［１］〜ＲＥＡＤＢＵＦ［Ｘ］）を備えたワークテーブル４３とが形成されている
【００１９】
　
各読取バッファ（ＲＥＡＤＢＵＦ［１］〜ＲＥＡＤＢＵＦ［Ｘ］）は、それぞれ“１”からの連続番号順にＲＦＩＤタグ３０から読取ったタグデータを確定フラグＦと関連付けて記憶するエリアである
 
ｂ　「【００４７】
　図７は
リーダ・ライタ本体１０と、そのアンテナ２０の交信領域内に存在する６個のＲＦＩＤタグ（ＲＦＩＤ１〜ＲＦＩＤ６）との間で送受される信号
【００４８】
　
リーダ・ライタ本体１０は、先ず、サイクル開始信号startにより各ＲＦＩＤ１〜ＲＦＩＤ６に対して割当スロット数を指定する。図２の場合は、割当スロット数“８”を指定する。すると、各各ＲＦＩＤ１〜ＲＦＩＤ６は、スロット番号ｓ１〜ｓ８の８つのタイムスロットのうちのいずれか１つのタイムスロットを選択して、自身の識別情報（ＩＤ）をタグリーダ・ライタに伝送しようとする
【００４９】
　図７の場合、先ず、ＲＦＩＤ１がスロット番号ｓ１のタイムスロットを選択して識別情報ＩＤ１を伝送している。次いで、２つのＲＦＩＤ２及びＲＦＩＤ４がスロット番号ｓ２のタイムスロットを選択して各々の識別情報ＩＤ２及びＩＤ４を伝送している。次いで、ＲＦＩＤ３がスロット番号ｓ４のタイムスロットを選択して識別情報ＩＤ３を伝送している。次いで、ＲＦＩＤ５がスロット番号ｓ５のタイムスロットを選択して識別情報ＩＤ５を伝送し、さらにＲＦＩＤ６がスロット番号ｓ６のタイムスロットを選択して識別情報ＩＤ６を伝送している。なお、残りのスロット番号ｓ３，ｓ７及びｓ８の３つのタイムスロットを選択して識別情報を伝送するＲＦＩＤは存在していない。
【００５０】
　この場合、スロット番号ｓ１，ｓ４，ｓ５及びｓ６の各タイムスロットが読取成功スロットとなり、割当スロット番号ｓ２のタイムスロットが衝突スロットとなり、割当スロット番号ｓ３，ｓ７，ｓ８の各タイムスロットが空スロットとなる。
【００５１】
　したがって、１サイクルを終了した時点（ｋ＞Ｚ）では、読取バッファＲＥＡＤＢＵＦ［１］には、ＲＦＩＤ１の識別情報ＩＤ１と、ＲＦＩＤ３の識別情報ＩＤ３と、ＲＦＩＤ５の識別情報ＩＤ５と、ＲＦＩＤ６の識別情報ＩＤ６とが記憶されている。
【００５２】
　
この信号送受信サイクルは、読取サイクル回数Ｘだけ繰り返される
１サイクルが繰り返される都度、その時点のサイクル回数ｉに対応した読取バッファＲＥＡＤＢＵＦ［ｉ］には、読取成功スロットから読取ったＲＦＩＤの識別情報が記憶される
【００５３】
　今、
読取サイクル回数Ｘと読取正常判定回数Ｙがいずれも“２”であり、ＲＦＩＤ１の識別情報ＩＤ１と、ＲＦＩＤ３の識別情報ＩＤ３と、ＲＦＩＤ５の識別情報ＩＤ５が“２”以上の読取バッファＲＥＡＤＢＵＦ［１］とＲＥＡＤＢＵＦ［２］にそれぞれ記憶されていたとする。この場合、ＲＦＩＤ１，ＲＦＩＤ３及びＲＦＩＤ５の３つのＲＦＩＤタグ３０の各識別情報ＩＤ１，ＩＤ３及びＩＤ５は読取データとして確定され、ホスト機器に送信される。これに対し、ＲＦＩＤ６の識別情報ＩＤ６は、読取バッファＲＥＡＤＢＵＦ［１］の値とＲＥＡＤＢＵＦ［２］の値とで異なっていたとする。例えば複数のビット化けにより偶然的にＣＲＣ値が合ってしまった場合、このような事象が発生する。このような場合、本実施の形態では、ＲＦＩＤ６の識別情報ＩＤ６は読取データとして確定されない
【００５４】
　
このように、
ＲＦＩＤタグ３０から同一の識別情報が複数の読取判定回数Ｙ以上読取られた場合にその識別情報を読取データとして確定し、ホスト機器に送信するようにしたので、電波状況が悪いために複数のビットが化けてしまい、偶然的にＣＲＣ値のチェック結果が正常と判定されてしまっても、この正常と誤判定されたデータが読取データとして確定され、ホスト機器に送信されることはない
ｃ　「
　　　　　　　　　　　　　　　　　　　　　　　　　　　　　　　　　　　　　　　　　　　　　　　　　　　　　　　　　　　　　」
ｄ　「図７
　　　　　　　　　　　　　　　　　　　　　　　　　　　」 
イ　上記ａないしｄの記載内容（特に，下線部を参照）からすると，上記引用文献１には次の発明（以下，「引用発明」という。）が記載されている。
「各物品にそれぞれ付与されたＲＦＩＤタグの識別情報（ＩＤ）を非接触で読取るタグリーダ・ライタであって，
　タグリーダ・ライタは，リーダ・ライタ本体１０と，該リーダ・ライタ本体１０に取り付けられたアンテナ２０とから構成され，また，各ＲＦＩＤタグ３０は，それぞれ固有のＩＤを識別情報として記憶しており，
　リーダ・ライタ本体１０は，タイムスロット方式のアンチコリジョン機能を実装したもので，インターフェイス部１１，変調部１２，送信アンプ１３，サーキュレータ１４，受信アンプ１５，復調部１６,メモリ部１７及び各部を制御する制御部１８等で構成されており，
　変調部１２は，制御部１８から与えられる送信データを高周波信号に変調して送信アンプ１３に出力し，送信アンプ１３は，変調部１２にて変調された高周波信号を増幅してサーキュレータ１４に出力し，さらに，サーキュレータ１４は，送信アンプ１３にて増幅された変調波信号をアンテナ２０側に出力するものであり，
　また，アンテナ２０で受信した高周波信号を受信アンプ１５側に出力し，受信アンプ１５は，サーキュレータ１４側から入力された高周波信号を増幅して復調部１６に出力し，復調部１６は，受信アンプ１５にて増幅された高周波信号を復調して受信データに変換し，制御部１８に出力するものであり，
　メモリ部１７は，各種の設定データや可変的なデータを記憶するための領域であって，読取サイクル回数Ｘに相当する個数の読取バッファ（ＲＥＡＤＢＵＦ［１］〜ＲＥＡＤＢＵＦ［Ｘ］）を備えたワークテーブル４３が形成されており，各読取バッファ（ＲＥＡＤＢＵＦ［１］〜ＲＥＡＤＢＵＦ［Ｘ］）には，それぞれ“１”からの連続番号順にＲＦＩＤタグ３０から読取ったタグデータを確定フラグＦと関連付けて記憶するものであり，
　制御部１８は，復調部１６にて復調された受信データに基づき，ＲＦＩＤタグ３０のデータを読み込むものであって，
　リーダ・ライタ本体１０と，そのアンテナ２０の交信領域内に存在する６個のＲＦＩＤタグ（ＲＦＩＤ１〜ＲＦＩＤ６）との間で信号を送受する場合において，リーダ・ライタ本体１０が，先ず，サイクル開始信号startにより各ＲＦＩＤ１〜ＲＦＩＤ６に対して割当スロット数“８”を指定すると，各ＲＦＩＤ１〜ＲＦＩＤ６が，スロット番号ｓ１〜ｓ８の８つのタイムスロットのうちのいずれか１つのタイムスロットを選択して，自身の識別情報（ＩＤ）をタグリーダ・ライタに伝送する，この信号送受信サイクルを，読取サイクル回数Ｘだけ繰り返し，１サイクルが繰り返される都度，その時点のサイクル回数ｉに対応した読取バッファＲＥＡＤＢＵＦ［ｉ］に，読取成功スロットから読取ったＲＦＩＤの識別情報を記憶するようにした際に，読取サイクル回数Ｘと読取正常判定回数Ｙがいずれも“２”であり，ＲＦＩＤ１の識別情報ＩＤ１と，ＲＦＩＤ３の識別情報ＩＤ３と，ＲＦＩＤ５の識別情報ＩＤ５が“２”以上の読取バッファＲＥＡＤＢＵＦ［１］とＲＥＡＤＢＵＦ［２］にそれぞれ記憶されていたとすると，ＲＦＩＤ１，ＲＦＩＤ３及びＲＦＩＤ５の３つのＲＦＩＤタグ３０の各識別情報ＩＤ１，ＩＤ３及びＩＤ５は読取データとして確定し，ホスト機器に送信し，これに対し，ＲＦＩＤ６の識別情報ＩＤ６は，読取バッファＲＥＡＤＢＵＦ［１］の値とＲＥＡＤＢＵＦ［２］の値とで異なっていたとすると，ＲＦＩＤ６の識別情報ＩＤ６は読取データとして確定しないようにして，ＲＦＩＤタグ３０から同一の識別情報が複数の読取判定回数Ｙ以上読取られた場合にその識別情報を読取データとして確定し，ホスト機器に送信することで，電波状況が悪いために複数のビットが化けてしまい，偶然的にＣＲＣ値のチェック結果が正常と判定されてしまっても，この正常と誤判定されたデータが読取データとして確定され，ホスト機器に送信されることがない，
　タグリーダ・ライタ。」
２　引用文献２について
　本願の出願日前に頒布され，原査定の拒絶の理由に引用された特開２００９−１２９０７２号公報（以下，これを「引用文献２」という。）には，図面とともに次の事項が記載されている。
ａ　「【００３４】
　実施の形態２．
　本実施の形態に係る移動物通過順序識別システムは、
管理対象物品の進入を検知するセンサと連携したリーダライタ装置にて読取ったＩＣタグごとに、ＩＣタグからの応答信号受信時の受信信号強度と読取り回数を測定し、これらの値を分析することで、仮にマルチパス等が原因で読取り対象以外の物品のＩＣタグも同時に誤って読取られた場合でも、読取られたこれら複数のＩＣタグの中から、読取り対象物品のＩＣタグを正確に識別することが可能となる
　そして、これによりベルトコンベアなどで搬送されてくる物品を、搬送される順番通りに識別し、後工程の仕分け作業などに正確な情報を伝えることが可能となる。」
ｂ　「【００４３】
　図１２は、本実施の形態においてゲート通過中のＩＣタグ（前記ＩＣタグ６−１）を識別するための一連の動作を表すフローチャートである。
　以下に図１２を用いたゲート通過中のＩＣタグ（ＩＣタグ６−１）を識別するための処理フローについて説明する。
　　　　　　　　　　・・・中略・・・
【００５１】
　（８）ゲート通過ＩＣタグ識別ステップ（識別情報特定ステップ）
　次に、読取ったＩＣタグごと（ＩＤごと）の受信信号強度と読取り回数をもとに、ゲートを通過したＩＣタグを識別するステップ（図１２  ステップＳ２０９−２１０）について説明する。
　
ステップＳ２０９では、受信信号強度／読取り回数解析部３ｅにて各ＩＣタグの受信信号強度と読取り回数の分析を行う
　図１１に示すとおり、
ゲートを通過したＩＣタグ
は最もアンテナにおけるタグ読取り有効範囲の近傍を通過するため受信信号強度が高く、またゲート進入センサによりリーダライタ装置の読取りタイミングとＩＣタグの通過タイミングが同期しているため読取り回数が多い。
　
一方、その他のＩＣタグ
は、アンテナにおける読取り有効範囲から離れているため受信信号強度が低い、
　
また、リーダライタ装置１の読取りタイミングとゲートへの通過タイミングが同期していないため読取り回数が少なくなる
　
よって、受信信号強度／読取り回数解析部３ｅは、閾値記憶部３ｆに記憶されている受信信号強度と読取り回数との関連からゲート通過中のＩＣタグを識別するための閾値を用いて、閾値を超えるＩＣタグをゲート通過中のＩＣタグと判断し、ステップＳ２１０に進む
ｃ　「図１２
　　　　　　　　　　　　　　　　　　　　　　　　　　　　　　　　」
　
３　引用文献３について
　本願の出願日前に頒布され，原査定の拒絶の理由に引用された特開２０１６−６２１６０号公報（以下，これを「引用文献３」という。）には，図面とともに次の事項が記載されている。
ａ　「【００５１】
　また、ＲＳＳＩ値および送信パラメータに加えて
ＲＦＩＤタグの種類に基づいて、ＲＦＩＤタグ５０までの距離（通信距離Ｘ）が推定される
ＲＦＩＤタグ５０の種類（タグ感度，タグ変換損失，タグアンテナ利得等）に応じてＲＳＳＩ値が多少変化するため、ＲＦＩＤタグ５０の種類をも加味してＲＦＩＤタグ５０までの距離（通信距離Ｘ）を推定する
ｂ　「図７
　　　　　　　　　　　　　　　　　　　　　　　　　　　　　」
第５　対比・判断
１　本願発明１について
（１）対比
　本願発明１と引用発明とを対比する。
（ア）引用発明の「ＲＦＩＤタグ」と，本願発明１の「パッシブ型のＲＦＩＤ（Radio Frequency Identifierの略）タグ」とは，後述の点で相違するものの，“ＲＦＩＤ（Radio Frequency Identifierの略）タグ”の点で共通する。
　また，引用発明の「タグリーダ・ライタ」は，「ＲＦＩＤタグの識別情報（ＩＤ）を非接触で読取る」ものであって，また，固有のＩＤである「識別情報」はＲＦＩＤに記憶されているものであるから，本願発明１の「ＲＦＩＤ（Radio Frequency Identifierの略）タグに記憶されているデータを読み取るタグ読取装置」に相当する。
（イ）引用発明では「変調部１２は，制御部１８から与えられる送信データを高周波信号に変調して送信アンプ１３に出力し，送信アンプ１３は，変調部１２にて変調された高周波信号を増幅してサーキュレータ１４に出力し，さらに，サーキュレータ１４は，送信アンプ１３にて増幅された変調波信号をアンテナ２０側に出力するものであ」って，また，引用発明の「変調部１２」，「送信アンプ１３」，「サーキュレータ１４」，及び「アンテナ２０」は，「タグリーダ・ライタ」の「リーダ・ライタ本体１０」が備えるものであるから，引用発明の「変調部１２」，「送信アンプ１３」，「サーキュレータ１４」，及び「アンテナ２０」は，本願発明１の「タグ読取装置」が備える「電波を送信する送信部」に相当する。
（ウ）また，引用発明では「アンテナ２０で受信した高周波信号を受信アンプ１５側に出力し，受信アンプ１５は，サーキュレータ１４側から入力された高周波信号を増幅して復調部１６に出力し，復調部１６は，受信アンプ１５にて増幅された高周波信号を復調して受信データに変換し制御部１８に出力するもので」あって，また，引用発明の「アンテナ２０」，「サーキュレータ１４」，及び「復調部１６」は「タグリーダ・ライタ」の「リーダ・ライタ本体１０」が備えるものである。
　そして，引用発明は「リーダ・ライタ本体１０が，先ず，サイクル開始信号startにより各ＲＦＩＤ１〜ＲＦＩＤ６に対して割当スロット数“８”を指定すると，各ＲＦＩＤ１〜ＲＦＩＤ６が，スロット番号ｓ１〜ｓ８の８つのタイムスロットのうちのいずれか１つのタイムスロットを選択して，自身の識別情報（ＩＤ）をタグリーダ・ライタに伝送する」ものであるから，引用発明の「受信した高周波信号」は，「タグリーダ・ライタ」から送信された電波に応じて「ＲＦＩＤタグ」が送信した信号であることは明らかである。
　してみれば，引用発明の「受信した高周波信号」は，本願発明１の「応答信号」に相当し，そして，引用発明の「タグリーダ・ライタ」が備える「アンテナ２０」，「サーキュレータ１４」，及び「復調部１６」は，本願発明１の「タグ読取装置」が備える「前記送信部から送信された前記電波に応じて前記ＲＦＩＤタグから送信される応答信号を受信する受信部」に相当する。
（エ）引用発明の「制御部１８」には，「復調部１６」から「高周波信号を復調して」変換した「受信データ」が出力されるものであって，また，「受信データ」には「ＲＦＩＤタグの識別情報（ＩＤ）」が含まれることは明らかである。さらに，引用発明の「ＲＦＩＤタグ３０から同一の識別情報が複数の読取判定回数Ｙ以上読取られた場合にその識別情報を読取データとして確定」する処理を，「制御部１８」が行っていることも明らかであり，「制御部１８」は，「ＲＦＩＤタグの識別情報（ＩＤ）」を読み取っていると認められる。
　してみれば，引用発明の「制御部１８」は，本願発明１の「タグ読取装置」が備える「前記受信部によって受信される前記応答信号に基づいて，前記ＲＦＩＤタグに記憶されている前記データを読み取る制御部」に相当する。
（オ）引用発明の「メモリ部１７」には，「ＲＦＩＤタグ３０から読取ったタグデータを」「記憶する」，「読取サイクル回数Ｘに相当する個数の読取バッファ（ＲＥＡＤＢＵＦ［１］〜ＲＥＡＤＢＵＦ［Ｘ］）を備えたワークテーブル４３が形成されるものであ」るから，引用発明の「タグリーダ・ライタ」が備える「メモリ部１７」は，本願発明１の「タグ読取装置」が備える「読み取られた前記データを記憶するためのメモリ」に相当する。
（カ）引用発明の「タグリーダ・ライタ」は，「読取サイクル回数Ｘと読取正常判定回数Ｙがいずれも“２”であり，ＲＦＩＤ１の識別情報ＩＤ１と，ＲＦＩＤ３の識別情報ＩＤ３と，ＲＦＩＤ５の識別情報ＩＤ５が“２”以上の読取バッファＲＥＡＤＢＵＦ［１］とＲＥＡＤＢＵＦ［２］にそれぞれ記憶されていたとすると，ＲＦＩＤ１，ＲＦＩＤ３及びＲＦＩＤ５の３つのＲＦＩＤタグ３０の各識別情報ＩＤ１，ＩＤ３及びＩＤ５は読取データとして確定し，ホスト機器に送信し，これに対し，ＲＦＩＤ６の識別情報ＩＤ６は，読取バッファＲＥＡＤＢＵＦ［１］の値とＲＥＡＤＢＵＦ［２］の値とで異なっていたとすると，ＲＦＩＤ６の識別情報ＩＤ６は読取データとして確定しないようにして，ＲＦＩＤタグ３０から同一の識別情報が複数の読取判定回数Ｙ以上読取られた場合にその識別情報を読取データとして確定し，ホスト機器に送信することで，電波状況が悪いために複数のビットが化けてしまい，偶然的にＣＲＣ値のチェック結果が正常と判定されてしまっても，この正常と誤判定されたデータが読取データとして確定され，ホスト機器に送信されることがない」ようにする処理を行うものであって，また，この処理を「タグリーダ・ライタ」の「制御部１８」が行っていることは明らかである。
　また，引用発明の「ＲＦＩＤ１」，「ＲＦＩＤ３」，「ＲＦＩＤ５」，及び「ＲＦＩＤ６」は，特定のＲＦＩＤタグといえ，さらに，引用発明の「ＲＦＩＤ１の識別情報ＩＤ１」，「ＲＦＩＤ３の識別情報ＩＤ３」，「ＲＦＩＤ５の識別情報ＩＤ５」，及び「ＲＦＩＤ６の識別情報ＩＤ６」は，特定のＲＦＩＤタグに記憶されている特定のデータといえる。
　そして，引用発明の「読取正常判定回数Ｙ」は，ＲＦＩＤタグ３０から同一の識別情報が読取られた回数が該「読取正常判定回数Ｙ」以上の場合にその識別情報を読取データとして確定する回数であり、識別情報を読取データとして確定するための回数による閾値といえることから，本願発明１の「読取対象のＲＦＩＤタグが存在する読取対象範囲の広さに対応付けて設定される回数閾値」とは，後述の点で相違するものの，“回数閾値”の点で共通する。
　してみれば，引用発明の「読取サイクル回数Ｘと読取正常判定回数Ｙがいずれも“２”であり，ＲＦＩＤ１の識別情報ＩＤ１と，ＲＦＩＤ３の識別情報ＩＤ３と，ＲＦＩＤ５の識別情報ＩＤ５が“２”以上の読取バッファＲＥＡＤＢＵＦ［１］とＲＥＡＤＢＵＦ［２］にそれぞれ記憶されていたとすると，ＲＦＩＤ１，ＲＦＩＤ３及びＲＦＩＤ５の３つのＲＦＩＤタグ３０の各識別情報ＩＤ１，ＩＤ３及びＩＤ５は読取データとして確定し，ホスト機器に送信し，これに対し，ＲＦＩＤ６の識別情報ＩＤ６は，読取バッファＲＥＡＤＢＵＦ［１］の値とＲＥＡＤＢＵＦ［２］の値とで異なっていたとすると，ＲＦＩＤ６の識別情報ＩＤ６は読取データとして確定しないようにして，ＲＦＩＤタグ３０から同一の識別情報が複数の読取判定回数Ｙ以上読取られた場合にその識別情報を読取データとして確定し，ホスト機器に送信することで，電波状況が悪いために複数のビットが化けてしまい，偶然的にＣＲＣ値のチェック結果が正常と判定されてしまっても，この正常と誤判定されたデータが読取データとして確定され，ホスト機器に送信されることがない」ことと，本願発明１の「前記制御部は、単位時間当たりに特定のＲＦＩＤタグに記憶されている特定のデータが読み取られた回数が読取対象のＲＦＩＤタグが存在する読取対象範囲の広さに対応付けて設定される回数閾値以上である特定の場合には、前記タグ読取装置との距離が比較的小さく、前記特定のＲＦＩＤタグが前記読取対象範囲内に存在しているとして前記特定のデータを前記メモリに記憶させ、単位時間当たりに前記特定のデータが読み取られた回数が前記回数閾値より少ない場合には、前記タグ読取装置との距離が比較的大きく、前記特定のＲＦＩＤタグが前記読取対象範囲外に存在しているとして前記特定のデータを前記メモリに記憶させないことにより、ユーザの意図する前記読取対象範囲外に存在するＲＦＩＤタグに記憶されているデータが読み取られてしまうことを抑制する」ことは，後述の点で相違するものの，“前記制御部は，特定のＲＦＩＤタグに記憶されている特定のデータが読み取られた回数が回数閾値以上である特定の場合には，前記特定のデータを有効として，前記特定のデータが読み取られた回数が前記回数閾値より少ない場合には，前記特定のデータを有効としない”点で共通する。
　したがって，本願発明１と引用発明との間には，以下の一致点と相違点とがある。
〈一致点〉
「ＲＦＩＤ（Radio Frequency Identifierの略）タグに記憶されているデータを読み取るタグ読取装置であって，
　電波を送信する送信部と，
　前記送信部から送信された前記電波に応じて前記ＲＦＩＤタグから送信される応答信号を受信する受信部と，
　前記受信部によって受信される前記応答信号に基づいて，前記ＲＦＩＤタグに記憶されている前記データを読み取る制御部と，
　読み取られた前記データを記憶するためのメモリと，
　を備えており，
　前記制御部は，
　　特定のＲＦＩＤタグに記憶されている特定のデータが読み取られた回数が回数閾値以上である特定の場合には，前記特定のデータを有効として，
　　前記特定のデータが読み取られた回数が前記回数閾値より少ない場合には，有効としない，
　タグ読取装置。」
〈相違点１〉
　「ＲＦＩＤ（Radio Frequency Identifierの略）タグ」が，本願発明１では「パッシブ型」であるのに対して，引用発明ではその旨の特定がされていない点。
〈相違点２〉
　「回数閾値」が，本願発明では「読取対象のＲＦＩＤタグが存在する読取対象範囲の広さに対応付けて設定される」ものであるのに対して，引用発明ではその旨の特定がされていない点。
〈相違点３〉
　「前記特定のデータが読み取られた回数」が，本願発明１では「単位時間当たり」であって，さらに，回数閾値以上である特定の場合には「前記タグ読取装置との距離が比較的小さく、前記特定のＲＦＩＤタグが前記読取対象範囲内に存在しているとして前記特定のデータを前記メモリに記憶させ」，また，回数閾値より少ない場合には，「前記タグ読取装置との距離が比較的大きく、前記特定のＲＦＩＤタグが前記読取対象範囲外に存在しているとして前記特定のデータを前記メモリに記憶させないことにより、ユーザの意図する前記読取対象範囲外に存在するＲＦＩＤタグに記憶されているデータが読み取られてしまうことを抑制する」のに対して，引用発明では「読取サイクル回数Ｘ」当たりであって，読取正常判定回数Ｙ以上である特定の場合にデータが確定し，また，読取正常判定回数Ｙより少ない場合には確定しないことで，「電波状況が悪いために複数のビットが化けてしまい，偶然的にＣＲＣ値のチェック結果が正常と判定されてしまっても，この正常と誤判定されたデータが読取データとして確定され，ホスト機器に送信されることはないようにした」ものである点。
（２）相違点についての判断
　事案に鑑みて，上記相違点２について先に検討する。
　引用発明は「電波状況が悪いために複数のビットが化けてしまい，偶然的にＣＲＣ値のチェック結果が正常と判定されてしまっても，この正常と誤判定されたデータが読取データとして確定され，ホスト機器に送信されることがない」ようにするものであって，「読取正常判定回数Ｙ」を多くすれば，誤判定をより減らすことができるものと認められる。しかしながら，より誤判定を減らす必要があるかは，読取データの使用目的等に応じて変わるものであって，読取対象範囲の広さと必ずしも関係するとはいえず，引用発明において「読取正常判定回数Ｙ」を，「読取対象のＲＦＩＤタグが存在する読取対象範囲の広さに対応付けて設定」させる理由が存在しない。
　また，引用文献２には，信号強度と読み取り回数に応じてＩＣタグを識別することが，さらに，引用文献３には，タグの種類に基づいて，タグまでの距離を推定することが記載されているが，読取対象のＲＦＩＤタグが存在する読取対象範囲の広さに対応付けて回数閾値を設定することは記載されていない。
　したがって，他の相違点について検討するまでもなく，本願発明１は引用発明及び引用文献２，３に記載の技術事項に基づき当業者が容易に構成し得たものであるとはいえない。
　　　
２　本願発明２ないし６について
　本願発明２ないし６は，本願発明１を更に限定したものであるので，同様に，当業者であっても引用発明及び引用文献２，３に記載の技術事項に基づいて容易に発明をすることができたものであるとはいえない。
　　
第６　原査定について
＜特許法２９条２項について＞
　審判請求時の補正により，本願発明１ないし６は上記第３に示したとおりのものとなっており，当業者であっても，拒絶査定において引用された引用文献１ないし３（上記第４の引用文献１ないし３）に基づいて，容易に発明できたものとはいえない。したがって，原査定の理由を維持することはできない。
第７　むすび
　以上のとおり，原査定の理由によっては，本願を拒絶することはできない。
　また，他に本願を拒絶すべき理由を発見しない。
　よって，結論のとおり審決する。